(57)【特許請求の範囲】
【請求項１】
シャーシに設けられ、１個の衛星から電波信号を受信するホーンと、このホーンの受信面を覆い、外周縁が円形に形成されたホーンキャップと、ホーンを気密状態にするためシャーシに嵌める気密保持材とからなり、ホーンキャップで気密保持材を押圧しながらホーンキャップとシャーシとを係合する衛星信号受信用コンバータであって、
前記シャーシに挿通孔が設けられ、一方、前記ホーンキャップに、外方に突出する係合爪を形成した挿通部が設けられ、挿通孔に係合爪を形成した挿通部を挿通した際に、挿通孔の周縁部に係合爪を係合することを特徴とする衛星信号受信用コンバータ。
【請求項２】
シャーシに設けられ、複数個の衛星から電波信号を受信する複数個のホーンと、これらホーンの受信面を一体的に覆い、外周縁が円形または略楕円形に形成されたホーンキャップと、これらホーンを気密状態にするためシャーシに嵌める気密保持材とからなり、ホーンキャップで気密保持材を押圧しながらホーンキャップとシャーシとを係合する衛星信号受信用コンバータであって、前記シャーシに挿通孔が設けられ、一方、前記ホーンキャップに、外方に突出する係合爪を形成した挿通部が設けられ、挿通孔に係合爪を形成した挿通部を挿通した際に、挿通孔の周縁部に係合爪を係合することを特徴とする衛星信号受信用コンバータ。
【請求項３】
前記挿通部は、前記ホーンキャップと前記シャーシとを係合した状態における前記ホーンの間に位置するホーンキャップの外周縁に設けられ、この挿通部に対応してシャーシに前記挿通孔が設けられたことを特徴とする請求項２に記載の衛星信号受信用コンバータ。
【発明の詳細な説明】
【０００１】
【発明の属する技術分野】
本発明は、衛星信号受信用コンバータの気密保持構造に関する。
【０００２】
【従来の技術】
現在、衛星信号受信用コンバータとしてＬＮＢ（Ｌａｗ  Ｎｏｉｓｅ  Ｂｌｏｃｋｄｏｗｎ  ｃｏｎｖｅｒｔｅｒ）があり、従来のＬＮＢに図４に示すようなＬＮＢがある。図４（ａ）は、ＬＮＢの平面図であり、図４（ｂ）は、図４（ａ）のＧ−Ｇ線断面図であり、図４（ｃ）は、図４（ｂ）の円Ｈ拡大図である。
【０００３】
図４に示すように、このＬＮＢ７は、２個の衛星から電波信号を受信する２個のホーン７１を備えるシャーシ７２と、ホーン７１の受信面を一体的に覆い、外周縁が略楕円形に形成されたホーンキャップ７３と、ホーン７１を気密状態にするためシャーシ７２に嵌めるＯリング７４とから構成されている。また、ホーンキャップ７３には、シャーシ７２に嵌合する嵌合爪７３ａが設けられている。
【０００４】
このＬＮＢ７では、ホーンキャップ７３でＯリング７４を押圧しながらホーンキャップの嵌合爪７３ａをシャーシ７２に嵌合させることで、シャーシ７２とホーンキャップ７３とを係合させてホーン７１を気密状態にする。
【０００５】
また、別のＬＮＢに、１個または３個の衛星から電波信号を受信するＬＮＢ８、９があり、これら図５および図６に示す。なお、これらＬＮＢ８、９の組立および効果は、上述したＬＮＢ７の組立方法および効果と同様であり、その説明は省略する。図５（ａ）は、ＬＮＢ８の平面図であり、図５（ｂ）は、図５（ａ）のＩ−Ｉ線断面図であり、図５（ｃ）は、図５（ｂ）の円Ｊ拡大図である。また、図６（ａ）は、ＬＮＢ９の平面図であり、図６（ｂ）は、図６（ａ）のＫ−Ｋ線断面図であり、図６（ｃ）は、図６（ｂ）の円Ｌ拡大図である。
【０００６】
図５に示すように、ＬＮＢ８は、３個の衛星から電波信号を受信する３個のホーン８１を備えるシャーシ８２と、これらホーン８１の受信面を一体的に覆い、外周縁が略楕円形に形成されたホーンキャップ８３と、ホーン８１を気密状態にするためシャーシ８２に嵌めるＯリング８４とから構成されている。
【０００７】
また、ホーンキャップ８３には嵌合爪８３ａが設けられ、この嵌合爪８３ａをシャーシ８２に嵌合することによりシャーシ８２とホーンキャップ８３とを係合する。
【０００８】
図６に示すように、ＬＮＢ９は、１個の衛星から電波信号を受信するホーン９１を備えるシャーシ９２と、これらホーン９１の受信面を一体的に覆い、外周縁が円形に形成されたホーンキャップ９３と、ホーン９１を気密状態にするためシャーシ９２に嵌めるＯリング９４とから構成されている。
【０００９】
また、ホーンキャップ９３には嵌合爪９３ａが設けられ、この嵌合爪９３ａをシャーシ９２に嵌合することによりシャーシ９２とホーンキャップ９３とを係合する。
【００１０】
【発明が解決しようとする課題】
ところで、上述したＬＮＢ７、８および９を屋外に設置するために放置の信頼性試験を行う必要がある。まず、常温下で試験を行ったが、問題点は生じなかった。次に、低温（−４０℃）下で試験を行った。ＬＮＢ７、８および９を低温下で放置すると、ホーンキャップ７３、８３および９３の外周縁が略楕円形または円形に形成されているためにホーンキャップ７３、８３および９３の外周面が外方にたわみ、それにともなって嵌合爪７３ａ、８３ａおよび９３ａが外方に押出されてシャーシ７２、８２および９２から外れた。嵌合爪７３ａ、８３ａおよび９３ａが外れることでＯリング７４、８３および９３を押圧する力が弱まり、その部分から空気漏れが発生し、ホーン７１、８１および９１の気密が保たれなくなった。また、高温（７０℃）下で試験を行ったが、低温下で行った結果と同様の結果がでた。
【００１１】
さらに、ＬＮＢ７、８では、ホーンキャップ７３、８３の外周縁が略楕円形に形成されているために、シャーシ７２、８２とホーンキャップ７３、８３とを係合した場合、ホーン７１、８１の間に位置するホーンキャップ７３、８３の外周面部分が外方に更にたわみ易くなっている。そのため、その部分から空気漏れが発生し易い。
【００１２】
また、通常組み立てられたＬＮＢ７、８および９のなかには不良品がある。この不良品を修理する際には、ホーンキャップ７３、８４および９４の嵌合爪７３ａ、８３ａおよび９３ａを潰してホーンキャップ７３、８４および９４をシャーシ７２、８２および９２から外し、不良品の性能を確認していた。そのため、潰したホーンキャップ７３、８４および９４の再利用はできなかった。
【００１３】
そこで、上記課題を解決するために本発明は、設置場所の気温に関係なく空気漏れを防止してホーンの気密を保持し、かつ、修理する際、用いたホーンキャップを再利用して修理コストを削減させる衛星信号受信用コンバータを提供することを目的とする。
【００１４】
【課題を解決するための手段】
上記目的を達成するため本発明に係る衛星信号受信用コンバータは、シャーシに設けられ、１個の衛星から電波信号を受信するホーンと、このホーンの受信面を覆い、外周縁が円形に形成されたホーンキャップと、ホーンを気密状態にするためシャーシに嵌める気密保持材とからなり、ホーンキャップで気密保持材を押圧しながらホーンキャップとシャーシとを係合する衛星信号受信用コンバータであって、前記シャーシに挿通孔が設けられ、一方、前記ホーンキャップに、外方に突出する係合爪を形成した挿通部が設けられ、挿通孔に係合爪を形成した挿通部を挿通した際に、挿通孔の周縁部に係合爪を係合することを特徴とする。
【００１５】
この発明によれば、シャーシに挿通孔が設けられ、一方、ホーンキャップに、外方に突出する係合爪を形成した挿通部が設けられ、挿通孔に係合爪を形成した挿通部を挿通した際に、挿通孔の周縁部に係合爪を係合するので、ホーンキャップの外周縁が円形に形成されていることが原因となってホーンキャップの外周面が外方にたわんでも、係合爪が挿通孔の周縁部に係合し続けてホーンキャップがシャーシから外れることはなく、その結果、空気漏れを防止してホーンの気密を保持することが可能となる。また、係合爪を内方に押しながら挿通孔から係合爪を形成した挿通部を外すことが可能であるためホーンキャップを潰すことはない。
【００１６】
また、上記目的を達成するため本発明に係る衛星信号受信用コンバータは、シャーシに設けられ、複数個の衛星から電波信号を受信する複数個のホーンと、これらホーンの受信面を一体的に覆い、外周縁が円形または略楕円形に形成されたホーンキャップと、これらホーンを気密状態にするためシャーシに嵌める気密保持材とからなり、ホーンキャップで気密保持材を押圧しながらホーンキャップとシャーシとを係合する衛星信号受信用コンバータであって、前記シャーシに挿通孔が設けられ、一方、前記ホーンキャップに、外方に突出する係合爪を形成した挿通部が設けられ、挿通孔に係合爪を形成した挿通部を挿通した際に、挿通孔の周縁部に係合爪を係合することを特徴とする。
【００１７】
この発明によれば、シャーシに挿通孔が設けられ、一方、ホーンキャップに、外方に突出する係合爪を形成した挿通部が設けられ、挿通孔に係合爪を形成した挿通部を挿通した際に、挿通孔の周縁部に係合爪を係合するので、ホーンキャップの外周縁が円形または略楕円形に形成されていることが原因となってホーンキャップの外周面が外方にたわんでも、係合爪が挿通孔の周縁部に係合し続けてホーンキャップがシャーシから外れることはなく、その結果、空気漏れを防止してホーンの気密を保持することが可能となる。また、係合爪を内方に押しながら挿通孔から係合爪を形成した挿通部を外すことが可能であるために、ホーンキャップを潰すことはない。
【００１８】
この発明において、上記挿通部は、上記ホーンキャップと上記シャーシとを係合した状態における上記ホーンの間に位置するホーンキャップの外周縁に設けられ、この挿通部に対応してシャーシに上記挿通孔が設けられてもよい。
【００１９】
この場合、ホーンキャップとシャーシとを係合した時の複数個のホーンの間に位置するホーンキャップの外周面が外方にたわみ易くなったとしても、そのたわみ易い部分では係合爪により挿通孔の周縁部に係合し続けるため、ホーンキャップがシャーシから外れることはなく、複数個のホーンを気密保持する上でより好ましい。
【００２０】
【発明の実施の形態】
以下、本発明の実施の形態について図面を参照して説明する。なお、以下に示す各実施の形態では、衛星信号受信用コンバータとしてＬＮＢに本発明を適用した場合を示す。
＜実施の形態１＞
本実施の形態１にかかるＬＮＢを図１に示す。図１（ａ）は、ＬＮＢの平面図であり、図１（ｂ）は、図１（ａ）に記載のホーンキャップのＡ−Ａ線断面図であり、図１（ｃ）は、図１（ｂ）の円Ｂ拡大図である。
【００２１】
図１に示すように、このＬＮＢ１は、２個の衛星から電波信号を受信する２個のホーン１１と、これらホーン１１を備えるシャーシ１２と、これらホーン１１の受信面を一体的に覆い、外周縁が略楕円形に形成されたホーンキャップ１３と、これらホーン１１を気密状態にするためシャーシ１２に嵌める気密保持材（本実施の形態１ではＯリング１４を用いる）とから構成されている。
【００２２】
シャーシ１２には、ホーンキャップ１３と係合するための挿通孔１２ａが設けられている。
【００２３】
ホーンキャップ１３には、挿通孔１２ａを挿通する２つの挿通部１３ａが設けられている。これら挿通部１３ａは、ホーンキャップ１３とシャーシ１２とを係合した状態における２個のホーン１１の間に位置するホーンキャップ１３の外周縁に対向して設けられている。また、これら挿通部１３ａの先端には、外方に突出する係合爪１３ｂが形成されている。これら係合爪１３ｂは、挿通孔１３ａに挿通部１３ａを挿通した際に、挿通孔１３ａの周縁部（ここでいう周縁部とは、挿通孔１３ａの内周面と隣接するシャーシ面１２ｂをいう）に外方に向けて係合する。
【００２４】
このＬＮＢ１は、次のようにして組み立てられる。
【００２５】
まず、シャーシ１２に２個のホーン１１を１列に並べて備える。このホーン１１の周辺にＯリング１４を嵌め、ホーン１１の受信面をホーンキャップ１３により覆う。ホーン１１の受信面をホーンキャップ１３で覆ったまま、このホーンキャップ１３を、ホーンキャップ１３の挿通部１３ａがシャーシ１２の挿通孔１２ａに挿通されるまで挿通方向に押圧する。この時、ホーンキャップ１３によりＯリング１４が押圧される。挿通部１３ａが挿通孔１２ａに挿通された際に、係合爪１３ｂがシャーシ面１２ｂに外方に向けて係合され、ＬＮＢ１が組み立てられる。
【００２６】
また、このＬＮＢ１の性能を確認するためにシャーシ１２とホーンキャップ１３との係合を解く場合、係合爪１３ｂを内方に押しながら係合爪１３ｂを形成した挿通部１３ａを挿通逆方向に押圧して挿通孔１２ａから挿通させ、シャーシ１２からホーンキャップ１３を外す。
【００２７】
以上のようにこのＬＮＢ１によれば、ホーンキャップ１３の外周縁が略楕円形に形成されていることが原因となってホーンキャップ１３の外周面が外方にたわんでも、係合爪１３ｂがシャーシ面１２ｂに係合し続けるため、ホーンキャップ１３がシャーシ１２から外れることはない。従って、空気漏れを防止してホーン１１の気密を保持することができる。また、係合爪１３ｂを内方に押しながら挿通孔１２ａから係合爪１３ｂを形成した挿通部１３ａを外すことができるために、ホーンキャップ１３を潰すことはない。この結果、設置場所の気温に関係なく空気漏れを防止してホーン１１の気密を保持し、かつ、修理する際、用いたホーンキャップ１３を再利用して修理コストを削減させることができる。
【００２８】
特に、このシャーシ１２とホーンキャップ１３とを係合する構造では、２個のホーン１１の間に位置するホーンキャップ１３の外周面が外方にたわみ易いが、このＬＮＢ１によれば、これらホーン１１の間に位置するホーンキャップ１３の外周縁に係合爪１３ｂを形成した挿通部１３ａを設け、係合爪１３ｂをシャーシ面１２ｂに係合することにより、この係合状態が維持されるので、ホーンキャップ１３の外周面が外方にたわんでも、ホーンキャップ１３がシャーシ１２から外れることはない。
【００２９】
なお、本実施の形態１では、気密保持材にＯリング１４を用いているが、これに限定されるものではなく、ホーン１１の気密を保持できるものであれば例えばＤリングなど異なる形状のパッキンを嵌めてもよい。
【００３０】
また、図１に示すように、２個の衛星から電波信号を受信するために２個のホーン１１が設けられているが、これに限定されるものではなく、複数個の衛星から電波信号を受信するために複数個のホーン、例えば後述する実施の形態２のような３個のホーンが設けられてもよい。
【００３１】
また、２つの挿通部１３ａが、ホーンキャップ１３とシャーシ１２とを係合した時の２個のホーン１１の間に位置するホーンキャップ１３の外周縁に対向して設けられているが、これに限定されるものではなく、挿通部１３ａが挿通孔１２ａを挿通した際に、係合爪１３ｂをシャーシ面１２ｂに外方に向けて係合してホーン１１の気密を保持できれば、挿通部１３ａの個数およびホーンキャップ１３の外周縁上の位置は任意に設定してもよい。
＜実施の形態２＞
本実施の形態２にかかるＬＮＢを図２に示す。図２（ａ）は、ＬＮＢの平面図であり、図２（ｂ）は、図２（ａ）に記載のホーンキャップのＣ−Ｃ線断面図であり、図２（ｃ）は、図２（ｂ）の円Ｄ拡大図である。
【００３２】
図２に示すように、このＬＮＢ２は、３個の衛星から電波信号を受信する３個のホーン２１と、これらホーン２１を備えるシャーシ２２と、これらホーン２１の受信面を一体的に覆い、外周縁が略楕円形に形成されたホーンキャップ２３と、これらホーン２１を気密状態にするためシャーシ２２に嵌めるＯリング２４とから構成されている。
【００３３】
シャーシ２２には、ホーンキャップ２３と係合するための挿通孔２２ａが設けられている。
【００３４】
ホーンキャップ２３には、挿通孔２２ａを挿通する４つの挿通部２３ａが設けられている。これら挿通部２３ａは、ホーンキャップ２３とシャーシ２２とを係合した状態における３個のホーン２１の間に位置するホーンキャップ２３の外周縁に、２つずつ対になって夫々対向して設けられている。また、これら挿通部２３ａの先端には、外方に突出する係合爪２３ｂが形成されている。これら係合爪２３ｂは、挿通孔２３ａに挿通部２３ａを挿通した際に、挿通孔２３ａの周縁部（ここでいう周縁部とは、挿通孔２３ａの内周面と隣接するシャーシ面２２ｂをいう）に外方に向けて係合する。
【００３５】
このＬＮＢ２は、次のようにして組み立てられる。
【００３６】
まず、シャーシ２２に３個のホーン２１を１列に並べて備える。このホーン２１の周辺にＯリング２４を嵌め、ホーン２１の受信面をホーンキャップ２３により覆う。ホーン２１の受信面をホーンキャップ２３で覆ったまま、このホーンキャップ２３を、ホーンキャップ２３の挿通部２３ａがシャーシ２２の挿通孔２２ａに挿通されるまで挿通方向に押圧する。この時、ホーンキャップ２３によりＯリング２４が押圧される。挿通部２３ａが挿通孔２２ａに挿通された際に、係合爪２３ｂがシャーシ面２２ｂに外方に向けて係合され、ＬＮＢ２が組み立てられる。
【００３７】
また、このＬＮＢ２の性能を確認するためにシャーシ２２とホーンキャップ２３との係合を解く場合、係合爪２３ｂを内方に押しながら係合爪２３ｂを形成した挿通部２３ａを挿通逆方向に押圧して挿通孔２２ａから挿通させ、シャーシ２２からホーンキャップ２３を外す。
【００３８】
以上のようにこのＬＮＢ２によれば、ホーンキャップ３３の外周縁が楕円形に形成されていることが原因となってホーンキャップ２３の外周面が外方にたわんでも、係合爪２３ｂがシャーシ面２２ｂに係合し続けるため、ホーンキャップ２３がシャーシ２２から外れることはない。従って、空気漏れを防止してホーン２１の気密を保持することができる。また、係合爪２３ｂを内方に押しながら挿通孔２２ａから係合爪２３ｂを形成した挿通部２３ａを外すことができるために、ホーンキャップ２３を潰すことはない。この結果、設置場所の気温に関係なく空気漏れを防止してホーン２１の気密を保持し、かつ、修理する際、用いたホーンキャップ２３を再利用して修理コストを削減させることができる。
【００３９】
特に、このシャーシ２２とホーンキャップ２３とを係合する構造では、３個のホーン２１の間に位置するホーンキャップ２３の外周面が外方にたわみ易いが、このＬＮＢ２によれば、これらホーン２１の間に位置するホーンキャップ２３の外周縁に係合爪２３ｂを形成した挿通部２３ａを設け、この係合爪２３ｂをシャーシ面２２ｂに係合することにより、この係合状態が維持されるので、ホーンキャップ２３の外周面が外方にたわんでも、ホーンキャップ２３がシャーシ２２から外れることはない。
【００４０】
なお、本実施の形態２では、図２に示すように、シャーシ２２に３個のホーン２１を１列に並べて備え、これらホーン２１の受信面を一体的に覆うホーンキャップ２３の外周縁が楕円形に形成されているが、これに限定されるものではなく、例えば、シャーシに３個のホーンをトライアングル状に並べて備え、これらホーンの受信面を一体的に覆うホーンキャップの外周縁が円形に形成されていてもよい。
＜実施の形態３＞
本実施の形態３にかかるＬＮＢを図３に示す。図３（ａ）は、ＬＮＢの平面図であり、図３（ｂ）は、図３（ａ）のＥ−Ｅ線断面図であり、図３（ｃ）は、図３（ｂ）の円Ｆ拡大図である。
【００４１】
図３に示すように、このＬＮＢ３は、１個の衛星から電波信号を受信する１個のホーン３１と、このホーン３１を備えるシャーシ３２と、このホーン３１の受信面を一体的に覆い、外周縁が円形に形成されたホーンキャップ３３と、このホーン３１を気密状態にするためシャーシ３２に嵌めるＯリング３４とから構成されている。
【００４２】
シャーシ３２には、ホーンキャップ３３と係合するための挿通孔３２ａが設けられている。
【００４３】
ホーンキャップ３３には、挿通孔３２ａを挿通する４つの挿通部３３ａが設けられている。これら挿通部３３ａは、ホーンキャップ３３の外周縁に均一の間隔をとって設けられている。また、これら挿通部３３ａの先端には、外方に突出する係合爪３３ｂが形成されている。これら係合爪３３ｂは、挿通孔３３ａに挿通部３３ａを挿通した際に、挿通孔３３ａの周縁部（ここでいう周縁部とは、挿通孔３３ａの内周面と隣接するシャーシ面３２ｂをいう）に外方に向けて係合するものである。
【００４４】
このＬＮＢ３は、次のようにして組み立てられる。
【００４５】
まず、シャーシ３２にホーン３１を備える。このホーン３１の周囲にＯリング３４を嵌め、ホーン３１の受信面をホーンキャップ３３により覆う。ホーン３１の受信面をホーンキャップ３３で覆ったまま、このホーンキャップ３３を、ホーンキャップ３３の挿通部３３ａがシャーシ３２の挿通孔３２ａに挿通されるまで挿通方向に押圧する。この時、ホーンキャップ３３によりＯリング３４が押圧される。挿通部３３ａが挿通孔３２ａに挿通された際に、係合爪３３ｂがシャーシ面３２ｂに外方に向けて係合され、ＬＮＢ３が組み立てられる。
【００４６】
また、このＬＮＢ３の性能を確認するためにシャーシ３２とホーンキャップ３３との係合を解く場合、係合爪３３ｂを内方に押しながら係合爪３３ｂを形成した挿通部３３ａを挿通逆方向に押圧して挿通孔３２ａから挿通させ、シャーシ３２からホーンキャップ３３を外す。
【００４７】
以上のようにこのＬＮＢ３によれば、ホーンキャップ３３の外周縁が円形に形成されていることが原因となってホーンキャップ３３の外周面が外方にたわんでも、係合爪３３ｂがシャーシ面３２ｂに係合し続けるため、ホーンキャップ３３がシャーシ３２から外れることはない。従って、空気漏れを防止してホーン３１の気密を保持することができる。また、係合爪３３ｂを内方に押しながら挿通孔３２ａから係合爪３３ｂを形成した挿通部３３ａを外すことができるために、ホーンキャップ３３を潰すことはない。この結果、設置場所の気温に関係なく空気漏れを防止してホーン３１の気密を保持し、かつ、修理する際、用いたホーンキャップ３３を再利用して修理コストを削減させることができる。
【００４８】
【発明の効果】
以上、説明したように、本発明にかかる衛星信号受信用コンバータによれば、設置場所の気温を考慮して設置場所を限定することなく、かつ、修理する際用いたホーンキャップを再利用して修理コストを削減させることができる。
【００４９】
すなわち、シャーシに挿通孔が設けられ、一方、ホーンキャップに、外方に突出する係合爪を形成した挿通部が設けられ、挿通孔に係合爪を形成した挿通部を挿通した際に、挿通孔の周縁部に係合爪を係合するので、ホーンキャップの外周縁が円形または楕円形に形成されていることが原因となってホーンキャップの外周面が外方にたわんでも、係合爪が挿通孔の周縁部に係合し続け、ホーンキャップがシャーシから外れることはない。その結果、空気漏れを防止してホーンの気密を保持することができる。また、係合爪を内方に押しながら挿通孔からホーンキャップを外すためホーンキャップを潰すことはない。
【００５０】
また、ホーンキャップとシャーシとを係合した状態における複数個のホーンの間に位置するホーンキャップの外周面が外方にたわみ易くなったとしても、そのたわみ易い部分では係合爪により挿通孔の周縁部に係合し続けるので、ホーンキャップがシャーシから外れることはなく、複数個のホーンを気密保持する上でより好ましい。
【図面の簡単な説明】
【図１】（ａ）は、本発明の実施の形態１にかかる２個の衛星から電波信号を受信するＬＮＢの平面図であり、（ｂ）は、（ａ）に記載のホーンキャップのＡ−Ａ線断面図であり、（ｃ）は、（ｂ）の円Ｂ拡大図である。
【図２】（ａ）は、本発明の実施の形態２にかかる３個の衛星から電波信号を受信するＬＮＢの平面図であり、（ｂ）は、（ａ）に記載のホーンキャップのＣ−Ｃ線断面図であり、（ｃ）は、（ｂ）の円Ｄ拡大図である。
【図３】（ａ）は、本発明の実施の形態３にかかる１個の衛星から電波信号を受信するＬＮＢの平面図であり、（ｂ）は、（ａ）のＥ−Ｅ線断面図であり、（ｃ）は、（ｂ）の円Ｆ拡大図である。
【図４】（ａ）は、従来の２個の衛星から電波信号を受信するＬＮＢの平面図であり、（ｂ）は、（ａ）のＧ−Ｇ線断面図であり、（ｃ）は、（ｂ）の円Ｈ拡大図である。
【図５】（ａ）は、従来の３個の衛星から電波信号を受信するＬＮＢの平面図であり、（ｂ）は、（ａ）のＩ−Ｉ線断面図であり、（ｃ）は、（ｂ）の円Ｊ拡大図である。
【図６】（ａ）は、従来の１個の衛星から電波信号を受信するＬＮＢの平面図であり、（ｂ）は、（ａ）のＫ−Ｋ線断面図であり、（ｃ）は、（ｂ）の円Ｌ拡大図である。
【符号の説明】
１、２、３  ＬＮＢ（衛星信号受信用コンバータ）
１１、２１、３１  ホーン
１２、２２、３２  シャーシ
１２ａ、２２ａ、３２ａ  挿通孔
１２ｂ、２２ｂ、３２ｂ  シャーシ面（周縁部）
１３、２３、３３  ホーンキャップ
１３ａ、２３ａ、３３ａ  挿通部
１３ｂ、２３ｂ、３３ｂ  係合爪
１４、２４、３４  Ｏリング（気密保持材）
【図１】
0003929813.tif 000002
【図２】
0003929813.tif 000003
【図３】
0003929813.tif 000004
【図４】
0003929813.tif 000005
【図５】
0003929813.tif 000006
【図６】
0003929813.tif 000007